(57)【特許請求の範囲】
【請求項１】
自装置が通信可能なコンピュータの画面におけるＸ軸方向とＹ軸方向にそれぞれ対応する部位を有するリムまたはレンズにおける、前記Ｘ軸方向に対応する部位に延設され、そのリムまたはレンズが設けられた眼鏡フレームの使用者による操作に応じて第１の値を生じる第１の生成器と、
前記リムまたはレンズにおける、前記Ｙ軸方向に対応する部位に延設され、前記使用者による操作に応じて第２の値を生じる第２の生成器と、
前記第１と第２の値を、前記コンピュータの画面におけるＸ座標の座標値とＹ座標の座標値とに変換すると共に、当該画面における前記Ｘ座標の座標値と前記Ｙ座標の座標値とに相当する位置にポインタを表示するように制御する座標情報処理器と
を備えたインタフェース装置。
【請求項２】
前記第１の生成器および前記第２の生成器は、それぞれ、少なくとも２つの電極板と、当該２つの電極板の間を摺動可能な導体部とを備えると共に、前記導体部の所定位置からの摺動量に応じた電気抵抗を生じ、
前記座標情報処理器は、前記第１の生成器が生じた前記電気抵抗の値を、前記Ｘ座標の座標値に変換し、前記第２の生成器が生じた前記電気抵抗の値を、前記Ｙ座標の座標値に変換する
請求項１記載のインタフェース装置。
【請求項３】
前記第１の生成器は、電気抵抗となる被膜を有する第１の電極板と、当該第１の電極板と平行または略平行に配置され、電気抵抗となる被膜を有する第２の電極板と、前記第１の電極板と前記第２の電極板との間を摺動可能であって前記第１の電極板と前記第２の電極板とを短絡する導体部とを備え、
前記座標情報処理器は、前記導体部を介して前記第１の電極板と前記第２の電極板との間で生じた電気抵抗の値を前記Ｘ座標の座標値に変換する
請求項１または２記載のインタフェース装置。
【請求項４】
前記第２の生成器は、電気抵抗となる被膜を有する第１の電極板と、当該第１の電極板と平行または略平行に配置され、電気抵抗となる被膜を有する第２の電極板と、前記第１の電極板と前記第２の電極板との間を摺動可能であって前記第１の電極板と前記第２の電極板とを短絡する導体部とを備え、
前記座標情報処理器は、前記導体部を介して前記第１の電極板と前記第２の電極板との間で生じた電気抵抗の値を前記Ｙ座標の座標値に変換する
請求項１ないし３のいずれか１項記載のインタフェース装置。
【請求項５】
前記第１の生成器または前記第２の生成器が押下されるのに応じて、前記情報処理器が前記ポインタ位置を選択するように前記コンピュータに指示するスイッチを備えた
請求項１および４のいずれか１項記載のインタフェース装置。
【請求項６】
前記第１の生成器または前記第２の生成器が押下されるのに応じて、前記情報処理器が前記ポインタ位置において実行可能な機能の一覧を表示するように前記コンピュータに指示するスイッチを備えた
請求項１および５のいずれか１項記載のインタフェース装置。
【請求項７】
自装置が通信可能なコンピュータの画面におけるＸ軸方向とＹ軸方向にそれぞれ対応する部位を有するリムまたはレンズにおける、前記Ｘ軸方向に対応する部位に延設され、そのリムまたはレンズが設けられた眼鏡フレームの使用者による操作に応じて第１の値を生じる第１の生成器と、前記リムまたはレンズにおける、前記Ｙ軸方向に対応する部位に延設され、前記使用者による操作に応じて第２の値を生じる第２の生成器と、前記第１と第２の値を、前記コンピュータの画面におけるＸ座標の座標値とＹ座標の座標値とに変換すると共に、当該画面における前記Ｘ座標の座標値と前記Ｙ座標の座標値とに相当する位置にポインタを表示するように制御する座標情報処理器とを備えたインタフェース装置と、
前記眼鏡フレームと
を備えた眼鏡。
【発明の詳細な説明】
【技術分野】
【０００１】
本発明は、コンピュータシステムを操作するインタフェース装置に関する。
【背景技術】
【０００２】
コンピュータシステムのユーザは、通常、ポイント情報に従って画面に表示されるポインタ（マウスカーソル等）を制御するポインティングデバイスを用いて、コンピュータシステムに対する入力操作を行う。ポインティングデバイスとして例えばマウスを使用する場合、ユーザは、そのマウスを机上に置き、その机上平面においてマウスを操作することによりポインタを動かす。また、トラックボールを使用する場合、ユーザは、球体を手で回転させることによりポインタを動かす。
【０００３】
このように入力操作をするとき、ユーザがポインティングデバイスを介して実際に入力したいポイント情報は、ユーザに正対するコンピュータ画面におけるポイント情報である。したがって、マウスやトラックボール等のデバイスを用いて入力操作する場合、ユーザは入力したいコンピュータ画面とは異なる位置関係をなす平面（例えば机上平面）にて入力操作をすることになる。そして、その平面の座標を、コンピュータ画面の座標に変換することをイメージしながらデバイスを操作することにより、コンピュータ画面のポインタを動かす必要がある。
【０００４】
例えば、特許文献１は、画面スクロールやカーソル移動等の複雑な操作を簡単に行うことができる頭部装着型の映像観察装置を開示している。
【０００５】
また、特許文献２は、パソコンや携帯電話等に内蔵装着できる小型で操作性の良いポインティングデバイスを開示している。
【先行技術文献】
【特許文献】
【０００６】
【特許文献１】特開２００２−２５８２０９号公報
【特許文献２】特開２００２−０２３９４８号公報
【発明の概要】
【発明が解決しようとする課題】
【０００７】
上述のように、ユーザは、マウスやトラックボールにより入力操作をする場合、ユーザは、入力操作している平面の座標を、その平面とは異なる位置関係をなすコンピュータ画面の座標に変換することをイメージしながらデバイスを操作する必要がある。したがって、ユーザのイメージ通りにポインタを動かすことは容易ではなく、このようなポインティングデバイスは操作性を欠くという課題がある。
【０００８】
特許文献１に開示される眼鏡状の映像観察装置では、眼鏡部を支持すると共に使用者の耳に掛けるテンプル部にトラックパットを備え、そのトラックパットを用いてユーザは入力操作することができる。しかしながら、当該トラックパットは、やはりコンピュータ画面とは異なる位置関係をなすので、操作性に欠くという課題がある。
【０００９】
また、特許文献２に開示されるポインティングデバイスが操作される平面も同じく、コンピュータ画面とは異なる位置関係をなすので、操作性に欠くという課題がある。
【００１０】
本願発明は、上記課題を鑑みてなされたものであり、ユーザが正対する画面と同じまたは略同じ、或いは係る画面に近い位置関係をなす平面において入力操作を可能とすることにより、操作性を向上したインタフェース装置を提供することを主要な目的とする。
【課題を解決するための手段】
【００１１】
本発明の第１のインタフェース装置は、自装置が通信可能なコンピュータの画面におけるＸ軸方向とＹ軸方向にそれぞれ対応する部位を有するリムまたはレンズにおける、前記Ｘ軸方向に対応する部位に延設され、そのリムまたはレンズが設けられた眼鏡フレームの使用者による操作に応じて第１の値を生じる第１の生成器と、前記リムまたはレンズにおける、前記Ｙ軸方向に対応する部位に延設され、前記使用者による操作に応じて第２の値を生じる第２の生成器と、前記第１と第２の値を、前記コンピュータの画面におけるＸ座標の座標値とＹ座標の座標値とに変換すると共に、当該画面における前記Ｘ座標の座標値と前記Ｙ座標の座標値とに相当する位置にポインタを表示するように制御する座標情報処理器とを備える。
【００１２】
本発明の第１の眼鏡は、自装置が通信可能なコンピュータの画面におけるＸ軸方向とＹ軸方向にそれぞれ対応する部位を有するリムまたはレンズにおける、前記Ｘ軸方向に対応する部位に延設され、そのリムまたはレンズが設けられた眼鏡フレームの使用者による操作に応じて第１の値を生じる第１の生成器と、前記リムまたはレンズにおける、前記Ｙ軸方向に対応する部位に延設され、前記使用者による操作に応じて第２の値を生じる第２の生成器と、前記第１と第２の値を、前記コンピュータの画面におけるＸ座標の座標値とＹ座標の座標値とに変換すると共に、当該画面における前記Ｘ座標の座標値と前記Ｙ座標の座標値とに相当する位置にポインタを表示するように制御する座標情報処理器とを備えたインタフェース装置と、前記眼鏡フレームとを備える。
【発明の効果】
【００１３】
本願発明によれば、ユーザが正対する画面と同じまたは略同じ、或いは係る画面に近い位置関係をなす平面において入力操作を可能なインタフェース装置により、操作性を向上することができるという効果が得られる。
【図面の簡単な説明】
【００１４】
【図１】本発明の第１の実施形態に係るインタフェース装置の斜視図である。
【図２】本発明の第１の実施形態に係るインタフェース装置における座標とコンピュータ画面における座標との関係を示す図である。
【図３】本発明の第１の実施形態に係るインタフェース装置のＸ座標生成器、Ｙ座標生成器および座標情報処理装置の詳細な構成を示すブロック図である。
【図４】本発明の第１の実施形態に係るインタフェース装置のＹ座標生成器の詳細を示す図である。
【図５】本発明の第２の実施形態に係るインタフェース装置の斜視図である。
【図６】本発明の第３の実施形態に係るインタフェース装置のブロック図である。
【発明を実施するための形態】
【００１５】
以下、本発明の実施形態について図面を参照して詳細に説明する。以下の説明では、説明の便宜上から、２つの座標軸（Ｘ軸、Ｙ軸）が直交する２次元平面（Ｘ−Ｙ平面）を前提にすることとする。
【００１６】
第１の実施形態
図１は、本発明の第１の実施形態に係るインタフェース装置１００の斜視図である。図１に示すように、インタフェース装置１００は、眼鏡フレーム１０１、Ｘ座標生成器１０２、Ｙ座標生成器１０３、Ｘ座標情報信号線１０４、Ｙ座標情報信号線１０５、座標情報処理装置１０６およびインタフェース信号線１０７を備える。
【００１７】
インタフェース装置１００は、図示しないコンピュータシステムにインタフェース信号線１０７を介して通信可能に接続される。
【００１８】
インタフェース装置１００の眼鏡フレーム１０１は、リム１０１ａとそのリム１０１ａを支持すると共にユーザの耳に掛けられるテンプル（つる）１０１ｂとを備える。Ｘ座標生成器１０２は、リム１０１ａの上辺に配置され、ユーザが触る位置に応じて１次元方向（Ｘ軸方向）の座標値に相当する値を生成する。Ｙ座標生成器１０３は、リム１０１ａの側辺に配置され、ユーザが触る位置に応じて１次元方向（Ｙ軸方向）の座標値に相当する値を出力する。
【００１９】
Ｘ座標情報信号線１０４およびＹ座標情報信号線１０５は、それぞれＸ座標生成器１０２およびＹ座標生成器１０３が出力したＸ座標情報およびＹ座標情報を座標情報処理装置１０６に送る。座標情報処理装置１０６は、例えば図１に示すように、Ｘ座標生成器１０２およびＹ座標生成器１０３の近傍のテンプル１０１ｂに設けられている。座標情報処理装置１０６は、Ｘ座標生成器１０２とＹ座標生成器１０３から情報を取得すると共に、コンピュータシステム用のインタフェースに合わせて情報を変換し、変換後の値を出力する。インタフェース信号線１０７は、座標情報処理装置１０６から出力値をコンピュータシステムに送る。
【００２０】
本実施形態では、座標情報処理装置１０６からの出力値はインタフェース信号線１０７を介してコンピュータシステムに送られることを例示するが、それに限定されない。例えば、座標情報処理装置１０６とコンピュータシステムとが無線通信可能であって、無線により座標情報処理装置１０６から出力値がコンピュータシステムに送られてもよい。  図１では、Ｘ座標生成器１０２およびＹ座標生成器１０３は、ユーザの左目前に配置されるリム１０１ａに延設されることを例示したが、右目前に配置されるリム１０１ａに延設されてもよい。
【００２１】
図２は、本発明の第１の実施形態に係るインタフェース装置１００における座標と、コンピュータシステム２２０が備えるコンピュータ画面２３０における座標との関係を説明する図である。コンピュータシステム２２０は、例えば、一般的なパーソナルコンピュータ（ＰＣ）本体２５０と、ディスプレイ２６０とを備える。図２を参照しながら、ユーザによる入力操作について説明する。
【００２２】
ユーザは、コンピュータ画面２３０に示されるポインタ（マウスカーソル）のＸ座標を変更したい場合、Ｘ座標生成器１０２に設けられ、このＸ座標生成器１０２の延設方向に沿ってスライド可能なつまみ３０４を指で触ると共に、触りながら左右に指先を摺動（スライド）することによってポインタのＸ座標の座標値を変更することができる。ユーザは、図２に示すように、左手人差し指２０３によりＸ座標生成器１０２のつまみ（レバー）３０４に触るとする。図２において、Ｘ座標生成器１０２におけるリム１０１ａの中心に近い端から、ユーザの左手人差し指２０３とＸ座標生成器１０２との接触位置までの距離を距離２０７、ユーザの左手人差し指２０３とＸ座標生成器１０２との接触位置からＸ座標生成器１０２におけるリム１０１ａの中心から遠い端までの距離を距離２０８とする。
【００２３】
このとき、距離２０７と距離２０８とは、コンピュータ画面２３０におけるマウスカーソル２３５のＸ座標に関して、コンピュータ画面２３０の右端からマウスカーソル２３５までの距離２３１と、マウスカーソル２３５からコンピュータ画面２３０の左端までの距離２３２との比率と等しい関係になる。
【００２４】
同様に、ユーザは、コンピュータ画面２３０に示されるポインタのＹ座標を変更したい場合、Ｙ座標生成器１０３に設けられ、このＹ座標生成器１０３の延設方向に沿ってスライド可能なつまみ３０８を指で触り、触りながら上下に指先を摺動することによってポイント情報のＹ座標値を変更できる。ユーザは、図２に示すように、左手親指２０４によりＹ座標生成器１０３のつまみ３０８に触っているとする。図２において、Ｙ座標生成器１０３における上端から、ユーザの親指２０４とＹ座標生成器１０３との接触位置までの距離を距離２０９、ユーザの親指２０４とＹ座標生成器１０３との接触位置からＹ座標生成器１０３の下端までの距離を距離２１０とする。
【００２５】
このとき、距離２０９と距離２１０とは、コンピュータ画面２３０におけるマウスカーソル２３５のＹ座標に関して、コンピュータ画面２３０の上端からマウスカーソル２３５までの距離２１３と、マウスカーソル２３５からコンピュータ画面２３０の下端までの距離２１４との比率と等しい関係になる。
【００２６】
インタフェース装置１００は、例えば、ユーザが左手人差し指２０３をＸ座標生成器１０２において右に向かって摺動させた場合はＸ座標値が大きくなり、左に向かって摺動させた場合はＸ座標値が小さくなるように制御してもよい。また、インタフェース装置１００は、例えば、ユーザが左手親指２０４をＹ座標生成器１０３において上に向かって摺動させた場合はＹ座標値が大きくなり、下に向かって摺動させた場合はＹ座標値が小さくなるように制御してもよい。ここで、Ｘ座標値が大きくなるとは、例えば、コンピュータ画面２３０におけるマウスカーソル２３５がユーザから見て右に移動すること、Ｘ座標値が小さくなるとは、左に移動することを意味する。また、Ｙ座標値が大きくなるとは、例えば、マウスカーソル２３５がユーザから見て上に移動すること、Ｙ座標値が小さくなるとは、下に移動することを意味する。
【００２７】
図３は、本発明の第１の実施形態に係るインタフェース装置１００のＸ座標生成器１０２、Ｙ座標生成器１０３および座標情報処理装置１０６の詳細な構成を示す図である。Ｘ座標生成器１０２とＹ座標生成器１０３は、以下に示すように、スライド式の可変抵抗器（摺動抵抗器）と同様の構造である。
【００２８】
図３に示すように、Ｘ座標生成器１０２は、それぞれ表面に電気抵抗として機能する被膜を備えた電極板３０２、電極板３０３と、つまみ３０４とを備える。同様に、Ｙ座標生成器１０３は、それぞれ表面に電気抵抗となる被膜を備えた電極板３０６、電極板３０７と、つまみ３０８とを備える。
【００２９】
座標情報処理装置１０６は、Ｘ座標抵抗値検出器３１２と、Ｙ座標抵抗値検出器３１３と、出力インタフェース３１４とを備える。
【００３０】
Ｘ座標生成器１０２は、平行に配置された電極板３０２および電極板３０３と、導体でできた、突起を有するつまみ３０４とを備える。つまみ３０４は、スライドレール等の機構（不図示）によりＸ座標生成器１０２から外れることなく、電極板３０２および電極板３０３の長手方向に沿って摺動（スライド）できる機能を持ち、かつ電極板３０２と電極板３０３とを短絡する。このつまみ３０４の機構は特定の機構に限定されず、一般的なスライドレール等の機構でよいため、その説明は省略する。
【００３１】
Ｙ座標生成器１０３も、上記Ｘ座標生成器１０２と同様の構成を有する。
【００３２】
Ｘ座標生成器１０２が備える電極板３０２、電極板３０３は、Ｘ座標情報信号線１０４を介して座標情報処理装置１０６が備えるＸ座標抵抗値検出器３１２に接続される。Ｘ座標抵抗値検出器３１２は、つまみ３０４を介して生じる電極板３０２と電極板３０３との間の電気抵抗値を検出する機能を有する。Ｙ座標抵抗値検出器３１３も、Ｘ座標抵抗値検出器３１２と同様に、つまみ３０８を介して生じる電極板３０６と電極板３０７との間の電気抵抗値を検出する機能を有する。
【００３３】
Ｘ座標抵抗値検出器３１２から出力された情報と、Ｙ座標抵抗値検出器３１３から出力された情報は、出力インタフェース３１４において正規化され、コンピュータシステム２２０におけるコンピュータ画面２３０において使用可能な形式に変換される。変換後のデータは、インタフェース信号線１０７を介してコンピュータシステム２２０に送られる。
【００３４】
次に、Ｘ座標生成器１０２およびＹ座標生成器１０３による座標検出の仕組みについて、図４を参照して説明する。図４では、例えばＹ座標生成器１０３について説明する。Ｙ座標生成器１０３が備える電極板３０６と電極板３０７は、つまみ３０８により短絡される。電極板３０６と電極板３０７の表面に設けられた被膜に起因して、電極板３０６と電極板３０７にそれぞれ接続される座標情報信号線１０５の線間において電気抵抗が発生する。
【００３５】
このときの電気抵抗の値（抵抗値）は、Ｙ座標生成器１０３の右端からつまみ３０８の部分までの距離４０１に比例する。つまり、この抵抗値を測定することにより、距離４０１、つまり１次元方向の座標値を検出することができる。この仕組みを利用することにより、インタフェース装置１００は、コンピュータ画面２３０における座標位置を保持したり、変更したりすることができる。Ｘ座標生成器１０２も、Ｙ座標生成器１０３と同様の構成により、座標位置を保持したり、変更したりすることができる。なお、ユーザは、コンピュータ画面２３０における現在の座標情報に相当するつまみ３０８の位置を、つまみ３０８の突起を指先で探ることにより、現在の座標情報を容易に知ることができる。
【００３６】
通常、眼鏡の使用者がコンピュータシステム２２０に対して入力操作する際、その使用者は眼鏡を掛けてコンピュータ画面２３０に正対した姿勢で入力操作を行う。このとき、眼鏡のリムまたはレンズと、コンピュータ画面２３０は、互いに同じまたは略同じ、或いは係る画面に近い位置関係をなす。したがって、ユーザは、上述したインタフェース装置１００を耳に掛けて、Ｘ座標生成器１０２およびＹ座標生成器１０３を触ることにより、コンピュータ画面２３０と同じまたは略同じ、或いは係る画面に近い位置関係をなす平面で入力操作ができる。これにより、コンピュータ画面２３０とは全く異なる位置関係をなす机上でのマウス等の操作に比べて、操作性が向上する。
【００３７】
以上のように、本第１の実施形態では、インタフェース装置１００は、眼鏡フレーム１０１のリム１０１ａの上辺に延設される、つまみ３０４のスライド量（摺動量）に応じた電気抵抗を生じるＸ座標生成器１０２と、眼鏡フレーム１０１のリム１０１ａの側辺に延設される、つまみ３０８のスライド量に応じた電気抵抗を生じるＹ座標生成器１０３とを備える。インタフェース装置１００は、さらに、Ｘ座標生成器１０２からの抵抗値とＹ座標生成器１０３からの抵抗値を検出して、それぞれをＸ座標値、Ｙ座標値に変換すると共に、自装置が通信可能なコンピュータシステム２２０に送出する座標情報処理装置１０６を備える。
【００３８】
上記構成を採用することにより、第１の実施形態によれば、ユーザが正対する画面と同じまたは略同じ、或いは係る画面に近い位置関係をなす平面において入力操作を可能とすることにより、操作性を向上することができるという効果が得られる。
【００３９】
上述した本実施形態では、説明の便宜上から、Ｘ−Ｙ平面をなすＸ軸（Ｙ軸）に沿ってＸ座標生成器１０２（Ｙ座標生成器１０３）を直線状に設ける構成を例に説明した。しかしながら、本実施形態を例に説明する本発明は係る構成には限定されず、インタフェース装置１００の外観デザインに応じて、Ｘ座標生成器１０２およびＹ座標生成器１０３は、円弧をなしてもよい。このことは、以下に説明する各実施形態においても同様である。
【００４０】
また、本実施形態および以下に説明する各実施形態において、座標情報処理装置１０６は、Ｘ座標生成器１０２およびＹ座標生成器１０３と通信可能であれば、眼鏡フレーム１０１のテンプル１０１ｂに設けられることに限定されない。例えば、座標情報処理装置１０６は、ＰＣ本体２５０の入出力インタフェースコネクタに接続されていてもよい。
【００４１】
さらに、本実施形態および以下に説明する各実施形態において、眼鏡フレームはリム１０１ａを有する一般的な眼鏡フレームに限定されない。例えば、レンズを固定するリム１０１ａの形状によっては、Ｘ座標生成器１０２およびＹ座標生成器１０３の少なくとも何れかが当該レンズ自体に配置される構成でもよい。
第２の実施形態
次に、上述した第１の実施形態を基礎とする第２の実施形態について説明する。以下の説明では、第１の実施形態と同様の構成については同じ参照番号を付与することにより、重複する説明は省略する。
【００４２】
図５は、本発明の第２の実施形態に係るインタフェース装置４００の斜視図である。図５に示すように、インタフェース装置４００におけるＸ座標生成器１０２は、スイッチ４０１に取り付けられる。また、Ｙ座標生成器１０３は、スイッチ４０２に取り付けられる。
【００４３】
Ｘ座標生成器１０２、Ｙ座標生成器１０３が押下されるのに応じて、スイッチ４０１、スイッチ４０２は、それぞれ、一般的なマウスの右クリックまたは左クリックに相当するオン／オフを、Ｘ座標生成器１０２、Ｙ座標生成器１０３を介して座標情報処理装置１０６に通知する。一般に、マウスが左クリックされると、そのマウスが示すポインタ（マウスカーソル）位置が選択される。また、一般に、マウスが右クリックされると、そのマウスが示すポインタ位置において実行可能な機能の一覧が表示される。Ｘ座標生成器１０２、Ｙ座標生成器１０３が押下されるのに応じて、スイッチ４０１、スイッチ４０２は、それぞれ、このような一般的なマウスの左クリックまたは右クリックに相当する機能を実行する信号を、Ｘ座標生成器１０２、Ｙ座標生成器１０３を介して座標情報処理装置１０６に通知する。
【００４４】
例えば、ユーザによりＸ座標生成器１０２が押下されると、スイッチ４０１は当該押下を検出すると共に、検出したことを座標情報処理装置１０６に伝達する。座標情報処理装置１０６は、マウスの右クリックと同様の指示を、コンピュータシステム２２０（不図示）に伝達する。同様に、ユーザによりＹ座標生成器１０３が押下されると、スイッチ４０２は当該押下を検出すると共に、検出したことを座標情報処理装置１０６に伝達する。座標情報処理装置１０６は、マウスの左クリックと同様の指示を、コンピュータシステム２２０に伝達する。あるいは、Ｘ座標生成器１０２が押下されるとマウスの左クリックと同様の指示が、Ｙ座標生成器１０３が押下されるとマウスの右クリックと同様の指示が、それぞれコンピュータシステム２２０に伝達されてもよい。
【００４５】
以上のように、第２の実施形態によれば、インタフェース装置４００は、Ｘ座標生成器１０２およびおＹ座標生成器１０３が、それぞれマウスの右クリックまたは左クリックに相当するオン／オフを入力することができるスイッチ４０１およびスイッチ４０２に取り付けられる。この構成を採用することにより、インタフェース装置４００は、マウスと同様の操作を実現することができ、さらに操作性を向上することができるという効果が得られる。
【００４６】
第３の実施形態
図６は、本発明の第３の実施形態に係るインタフェース装置５００の斜視図である。図６に示すように、インタフェース装置５００は、第１の生成器（Ｘ座標生成器）５０１、第２の生成器（Ｙ座標生成器）５０２および座標情報処理器５０３を備える。
【００４７】
第１の生成器５０１は、自装置が通信可能なコンピュータの画面におけるＸ軸方向とＹ軸方向にそれぞれ対応する部位を有するリムまたはレンズにおける、前記Ｘ軸方向に対応する部位（上辺（Ｘ軸方向の辺）に延設され、そのリムまたはレンズが設けられた眼鏡フレームの使用者による操作に応じて第１の値（電気抵抗の値）を生じる。第２の生成器５０２は、前記リムまたはレンズにおける、前記Ｙ軸方向に対応する部位（側辺（Ｙ軸方向の辺））に延設され、前記使用者による操作に応じて第２の値（電気抵抗の値）を生じる。
【００４８】
座標情報処理器５０３は、前記第１と第２の値を、前記コンピュータの画面におけるＸ座標の座標値とＹ座標の座標値とに変換すると共に、当該画面における前記Ｘ座標の座標値と前記Ｙ座標の座標値とに相当する位置にポインタを表示するように制御する。
【００４９】
上記構成を採用することにより、第３の実施形態によれば、ユーザが正対する画面と同じまたは略同じ、或いは係る画面に近い位置関係をなす平面において入力操作を可能とすることにより、操作性を向上することができるという効果が得られる。
【産業上の利用可能性】
【００５０】
本発明は、例えば、コンピュータ画面に表示されるポインタをポインティングデバイスを利用して操作されるコンピュータシステム等に適用できる。
【符号の説明】
【００５１】
１００  インタフェース装置
１０１  眼鏡フレーム
１０２  Ｘ座標生成器
１０３  Ｙ座標生成器
１０４  Ｘ座標情報信号線
１０５  Ｙ座標情報信号線
１０６  座標情報処理装置
１０７  インタフェース信号線
２０３  左手人差し指
２０４  左手親指
２２０  コンピュータシステム
２３０  コンピュータ画面
２５０  ＰＣ本体
２６０  ディスプレイ
３０２、３０３、３０６、３０７  電極板
３０４、３０８  つまみ
３１２  Ｘ座標抵抗値検出器
３１３  Ｙ座標抵抗値検出器
３１４  出力インタフェース
４０１、４０２  スイッチ
【図１】
0005860009.tif 000002
【図２】
0005860009.tif 000003
【図３】
0005860009.tif 000004
【図４】
0005860009.tif 000005
【図５】
0005860009.tif 000006
【図６】
0005860009.tif 000007